(57)【要約】【課題】  貯留皿装置内の遊技球を、遅滞なく確実に球抜孔から排出できるパチンコ遊技機を提供する。【解決手段】  貯留空間９ａを形成する貯留皿部材２０ａの皿面部に孔部２５ａを形成すると共に、開閉部材３０ａに、孔部２５ａを貫通して貯留空間９ａへ突出し、開閉部材３０ａの摺動に伴い貯留空間９ａ内を移動する球崩し突部３３ａを形成した。このため、球抜操作により、開閉部材３０ａが球抜位置IIへ摺動すると、球崩し突部３３ａが貯留空間９ａの遊技球Ｘを押圧して、転動させることとなり、球抜孔２４ａの上方にブリッジ配列Ｐが形成されていても、球抜孔２４ａの開放と同時にその配列は解消され、遊技球Ｘはスムーズに球抜孔２４ａから排出される。【選択図】  図５
2005095488.tif 000002
【特許請求の範囲】
【請求項１】
前面側の下部位置に貯留皿装置を備えたパチンコ遊技機において、
貯留皿装置は、遊技球を貯留する貯留空間を内部に形成する貯留皿部材と、
貯留皿部材の底面部に形成された球抜孔と、
貯留皿部材の底面部に水平方向に摺動可能に保持されて、球抜孔を閉塞する定常位置と、球抜孔を開放する球抜位置とに変換される開閉部材とを備えるものであって、
貯留空間を形成する貯留皿部材の皿面部には、孔部が形成されており、開閉部材には、孔部を貫通して貯留空間へ突出し、開閉部材の摺動に伴い貯留空間内を移動する球崩し突部が形成されていることを特徴とするパチンコ遊技機。
【請求項２】
貯留空間を形成する貯留皿部材の皿面部には、開閉部材の摺動方向に沿った作動溝孔が形成されており、球崩し突部は、該作動溝孔を貫通して貯留空間に突出し、開閉部材の摺動に伴い作動溝孔に沿って貯留空間内を移動するものであることを特徴とする請求項１記載のパチンコ遊技機。
【請求項３】
前記作動溝孔は貯留皿部材の底面部に形成されており、球崩し突部は、上方に突成されて、該作動溝孔を貫通し、貯留皿部材の底面部から貯留空間に突出していることを特徴とする請求項２記載のパチンコ遊技機。
【請求項４】
球崩し突部は、開閉部材の定常位置で球抜孔を閉塞する遮蔽板部の上面に突成されていることを特徴とする請求項３記載のパチンコ遊技機。
【請求項５】
前記作動溝孔は、貯留皿部材の前面部に形成されており、球崩し突部は、後方に突成されて、該作動溝孔を貫通し、貯留皿部材の前面部から貯留空間に突出していることを特徴とする請求項２記載のパチンコ遊技機。
【請求項６】
球崩し突部は、開閉部材の定常位置で球抜孔を閉塞する遮蔽板部の上面に突成され、球抜孔を貫通して、貯留皿部材の底面部から貯留空間に突出するものであり、球抜孔を、球崩し突部の開閉部材の摺動に伴う移動を許容する形状として、該球抜孔を介して、球崩し突部を、開閉部材の摺動に伴って、貯留空間内で移動するようにしたことを特徴とする請求項１記載のパチンコ遊技機。
【請求項７】
開閉部材は、貯留皿部材の底面部の下底に固着される摺動保持部材により、水平方向に摺動可能となるように下方から保持されるものであって、
摺動保持部材の上面と開閉部材の底面には、相互に当接する凸部が形成されており、開閉部材の摺動に伴って両面の凸部が衝突し、開閉部材が上下に振動することを特徴とする請求項１乃至請求項６のいずれかに記載のパチンコ遊技機。
【発明の詳細な説明】
【技術分野】
【０００１】
本発明は、前面側の下部位置に遊技球を貯留する貯留皿装置を備えたパチンコ遊技機に関する。
【背景技術】
【０００２】
パチンコ遊技機は、一般的にその前面下部に発射皿装置と貯留皿装置が段設されており、発射皿装置に貯留した遊技球を球送り機構により一球ずつ発射レール始端の発射位置に自動的に供給し、発射ハンドルの回動操作によって発射位置の遊技球を発射鎚で打圧することにより、遊技球が遊技盤面に順次打ち出される。そして、遊技盤面の入賞口に遊技球が入賞すると所定数の遊技球が払出装置から払い出される。この遊技球は、通常、上方の払出口から発射皿装置に排出されるが、発射皿装置が満杯になると自動的に下方の払出口から貯留皿装置に排出されるようになっている。この貯留皿装置は、上方に開放する貯留空間が内部に形成された貯留皿部材を備え、この貯留空間に払い出された遊技球が停留する。
【０００３】
そして、従来の貯留皿装置は、貯留皿部材の底面部に形成された下方へ連通する球抜孔と、該球抜孔を閉塞する遮蔽板部が形成された開閉部材とを備える。この開閉部材は貯留皿部材の底面部に水平方向（主に左右方向）に摺動可能に保持されて、遮蔽板部で球抜孔を横断状に閉塞する定常位置と、遮蔽板部が球抜孔から退避して球抜孔を開放する球抜位置とに変換可能となっている。開閉部材は、常態ではバネ等により定常位置側に付勢されて球抜孔を閉塞し、貯留空間に遊技球を貯留可能としているが、貯留皿装置の前面には、開閉部材と連繋する操作部が設けられており、この操作部の手操作により、開閉部材を球抜位置へ変位可能となっている（例えば特許文献１）。この開閉部材を球抜位置へ移動させる球抜部の操作（以下、球抜操作と記す）により、貯留空間に貯留された遊技球が、開放された球抜孔を通って下方に排出され、貯留皿装置の下方に載置した球箱に移し替えられる。
【０００４】
ところで、上述したように、発射皿装置が満杯となると、払出装置から払い出された遊技球は貯留皿装置に排出されて貯留される。そして、貯留皿装置も満杯となり、貯留皿装置から遊技球が溢れそうになると、一般のパチンコ遊技機では、満杯状態が改善されるまで発射装置の遊技球発射作動を停止させ、新たな入賞が生じて貯留皿装置に更なる遊技球が排出されるのを防止する。すなわち、貯留皿装置が満杯となると、遊技者は遊技球を発射できなくなる。ここで、貯留皿装置が満杯となるのは、大抵、大量の遊技球が払い出される大当り遊技中であるが、大当り遊技は、所定時間内に遊技球を大入賞口に入賞させて賞球を獲得するものがほとんどであり、中には所定時間内に大入賞口の特定領域に規定数の入賞がないと大当り遊技が途中終了してしまうものもある。従って、大当り遊技中に貯留皿装置が満杯となり、遊技球を発射できなくなると、大当り遊技で獲得可能な利益を十分に享受できないため、遊技者は、貯留皿装置が満杯となる前に、貯留皿装置の遊技球を球箱へ移し替えなくてはならない。
【０００５】
【特許文献１】特開平７−２６５５２７号公報
【発明の開示】
【発明が解決しようとする課題】
【０００６】
しかし、大当り遊技中は、遊技者は興奮状態にありがちなため、貯留皿装置が満杯となるまで気づかずに、発射装置が停止されてから慌てて球抜操作を行い、遊技球を排出することが多々ある。ところが、満杯状態で球抜操作を行っても、開放された球抜孔から遊技球が排出されず、発射停止が長引いて、遊技者の損失が大きくなることがある。この原因は、図１３に示すように、貯留空間９ｅに貯留された遊技球Ｘがドーム状になって均衡する、いわゆる「ブリッジ配列」（図１３中のＰ部分）が、球抜孔２４ｅ上方に形成されて、球抜孔２４ｅ上方の遊技球Ｘが重力に抗するためである。かかる場合には、遊技者が手ずから貯留空間９ｅ内の遊技球Ｘをかき混ぜれば、遊技球Ｘの配列が崩れてブリッジ配列Ｐは解消され、遊技球Ｘは球抜孔２４ｅから排出されるようになるが、大当り遊技中の時間ロスは避けられず、遊技性とは無関係なところで遊技者に損失を与え、遊技の興趣を損ねていた。
【０００７】
本発明は、かかる問題の解決を試みたものであり、球抜孔の開放と同時に、遊技球のブリッジ配列を解消し得るパチンコ遊技機の提供を目的とするものである。
【課題を解決するための手段】
【０００８】
本発明は、前面側の下部位置に貯留皿装置を備えたパチンコ遊技機において、貯留皿装置は、遊技球を貯留する貯留空間を内部に形成する貯留皿部材と、貯留皿部材の底面部に形成された球抜孔と、貯留皿部材の底面部に水平方向に摺動可能に保持されて、球抜孔を閉塞する定常位置と球抜孔を開放する球抜位置とに変換される開閉部材とを備えるものであって、貯留空間を形成する貯留皿部材の皿面部には、孔部が形成されており、開閉部材には、孔部を貫通して貯留空間へ突出し、開閉部材の摺動に伴い貯留空間内を移動する球崩し突部が形成されていることを特徴とするパチンコ遊技機である（請求項１）。
【０００９】
かかる構成にあっては、球抜操作の際に、球崩し突部が貯留空間内を移動して、貯留空間内の遊技球を押圧することにより、遊技球は転動して、その配列関係を変化させる。このため、球抜孔の上方にブリッジ配列が形成されていても、球抜操作時には、球崩し突部により、ブリッジ配列は解消されることとなり、遊技球は確実に球抜孔から排出される。しかも、本発明の球崩し突部は開閉部材に一体的に形成されるため、従来通りの操作部を手操作するといった球抜操作だけで、球抜孔の開放と球崩し突部の移動とが同時に行われることとなり、球崩し突部を移動させるための付加的操作を要しない。
【００１０】
球崩し突部を貫通させる孔部の最適な構成の一つとして、溝形状のものが提案される。すなわち、貯留空間を形成する貯留皿部材の皿面部に、開閉部材の摺動方向に沿った作動溝孔を形成し、球崩し突部を、該作動溝孔を貫通して貯留空間に突出し、開閉部材の摺動に伴い作動溝孔に沿って貯留空間内を移動させる構成である（請求項２）。かかる構成では、球崩し突部の大きさ、変位幅に応じた作動溝孔を皿面部に形成することにより、皿面部に形成する孔部を可及的に小さくすることができる。なお、球崩し突部は、一つに限らず複数形成することも可能であるが、かかる場合には作動溝孔も各球崩し突部の数に応じた数だけ皿面部に形成すればよい。
【００１１】
ここで、作動溝孔を貯留皿部材の底面部に形成すると共に、球崩し突部を上方に突成して、該作動溝孔を貫通させ、貯留皿部材の底面部から貯留空間に突出させるようにした構成が提案される（請求項３）。かかる構成にあっては、球抜操作時に、球崩し突部が、貯留空間の下部に貯留される遊技球を押圧する。貯留された遊技球は、下部に位置するものほど遊技球の重みにより動き難くなっており、貯留空間上部の遊技球を押圧し、転動させても、下部に形成されたブリッジ配列を変化させ難いが、かかる構成のように、貯留空間下部の遊技球を直接押圧して変化させれば、ブリッジ配列を好適に解消させることが可能となる。
【００１２】
そして、作動溝孔を貯留皿部材の底面部に形成する場合には、作動溝孔を部分的に球抜孔と重なるように形成して、球抜操作時に球崩し突部が球抜孔上方を通過するようにするとよい。そうすれば、球抜孔上方にブリッジ配列が形成されていても、ブリッジ配列を構成する遊技球を球崩し突部で直接押圧して、その配列構造を崩すことが可能となる。特に、球崩し突部は、開閉部材の定常位置で球抜孔を閉塞する遮蔽板部の上面に突成すれば（請求項４）、開閉部材の構成を複雑にすることなく、球崩し突部を簡単に形成可能となる。
【００１３】
また、作動溝孔は、貯留皿部材の底面部以外にも形成することもできる。例えば、作動溝孔を貯留皿部材の前面部に形成し、球崩し突部を後方に突成して、該作動溝孔を貫通させ、貯留皿部材の前面部から貯留空間に突出させるようにした構成も考えられる（請求項５）。かかる構成では、球崩し突部が、貯留空間の前部に貯留される遊技球を押圧する。一般的に、開閉部材を摺動させるための操作部は、貯留皿装置の前面側に設けられるから、かかる構成のように、球崩し突部を貯留空間の前部から突出させれば、遊技者が手操作する操作部と、遊技球を押圧する球崩し突部との距離が短くなり、操作部を操作する力を効率的に球崩し突部へ伝達させることが可能となる。
【００１４】
ここで、球抜孔を開閉部材の摺動方向に長大な形状とすれば、貯留皿部材に作動溝孔を形成することなく、球崩し突部を貯留空間内で移動させることも可能である。すなわち、球崩し突部を開閉部材の定常位置で球抜孔を閉塞する遮蔽板部の上面に突成し、球抜孔を貫通して、貯留皿部材の底面部から貯留空間に突出させると共に、球抜孔を、球崩し突部の開閉部材の摺動に伴う移動を許容する形状として、該球抜孔を介して、球崩し突部を、開閉部材の摺動に伴って、貯留空間内で移動するようにすればよい（請求項６）。かかる構成にあっては、球抜孔が、球崩し部材が貫通する孔部の全体を構成するものであり、貯留皿部材の皿面部に作動溝孔が形成されないため、貯留皿部材の構造が簡単となる。
【００１５】
さらに、開閉部材を、貯留皿部材の底面部の下底に固着される摺動保持部材により、水平方向に摺動可能となるように下方から保持する構成にあっては、摺動保持部材の上面と開閉部材の底面とに相互に当接する凸部を形成し、開閉部材の摺動に伴って両面の凸部を衝突させて、開閉部材を上下に振動するようにした構成が提案される（請求項７）。かかる構成にあっては、開閉部材の上下振動は、球崩し突部を介して貯留空間内の遊技球へと伝わり、遊技球を振動させる。また、開閉部材の振動は貯留皿部材にも伝わるから、貯留皿部材を介しても、貯留空間の遊技球を振動させることとなる。このように、球抜操作時に遊技球を振動させることにより、遊技球同士の密着が緩んで遊技球間に隙間が生じ、遊技球の配列構造が崩れ易い状態となる。ここで、開閉部材は繰り返し振動させることが望ましく、摺動保持部材の上面と開閉部材の底面の少なくとも一面には複数の凸部を形成して、開閉部材の摺動に伴って、複数の凸部が順次、他方側の凸部と衝突するようにするとよい。
【発明の効果】
【００１６】
本発明は、貯留空間を形成する貯留皿部材の皿面部に孔部を形成すると共に、開閉部材に、孔部を貫通して貯留空間へ突出し、開閉部材の摺動に伴い貯留空間内を移動する球崩し突部を形成したパチンコ遊技機であるから（請求項１）、球抜操作の際に、球崩し突部の押圧により、遊技球配列が動的に変化するため、球抜孔の上方にブリッジ配列が形成されていても、球抜操作と同時にその配列は解消される。従って、大当り遊技中に、貯留皿装置が満杯となり、発射装置が停止しても、球抜操作を行えば貯留皿装置の遊技球は確実に排出され、発射停止は遅滞なく解除される。このため、遊技者は、発射停止による損害を最低限に抑えることができ、不必要な損害を被り不快な思いをすることもない。また、球崩し突部は開閉部材に形成されており、従来同様の球抜操作によって付随的に移動するものであるから、遊技者は付加的な操作を強いられることもないし、球崩し部材の移動に注意を払う必要もない。
【００１７】
ここで、開閉部材の摺動方向に沿った作動溝孔を貯留皿部材の皿面部に形成して、球崩し突部を、該作動溝孔を貫通して貯留空間に突出し、開閉部材の摺動に伴い作動溝孔に沿って貯留空間内を移動させるようにした場合には（請求項２）、皿面部に形成する孔部を小さくできるから、貯留された遊技球が孔部に引っ掛かり難く、球抜孔への流下の邪魔となることがない。また、開閉部材は、貯留皿部材の底面部に対して左右、前後方向など種々の方向に摺動する構成が知られているが、かかる作動溝孔を、開閉部材の摺動方向や球崩し突部の形成位置に合わせて形成すれば、多様な形状の貯留皿装置に本発明を適用できる。
【００１８】
そして、作動溝孔を貯留皿部材の底面部に形成すると共に、球崩し突部を上方に突成して、該作動溝孔を貫通させ、貯留皿部材の底面部から貯留空間に突出するようにした場合には（請求項３）、貯留空間下部の動き難い遊技球が、球崩し突部に直接押圧されて転動するため、ブリッジ配列を好適に解消させることができる。
【００１９】
特に上述の構成にあって、球崩し突部を遮蔽板部の上面に突成した場合には（請求項４）、球崩し突部を簡単に形成できると共に、球抜孔上方の遊技球を球崩し突部で直接押圧することにより、ブリッジ配列を確実に解消できる。
【００２０】
また、作動溝孔を貯留皿部材の前面部に形成し、球崩し突部を後方に突成して、該作動溝孔を貫通させ、貯留皿部材の前面部から貯留空間に突出するようにした場合には（請求項５）、操作部を操作する力を効率的に球崩し突部へ伝達させることが可能となり、操作部の操作によって、遊技球を強く押圧することができる。
【００２１】
そして、球抜孔を、該球抜孔を貫通する球崩し突部の開閉部材の摺動に伴う移動を許容する形状として、該球抜孔を介して、球崩し突部を開閉部材の摺動に伴って、貯留空間内で移動させるようにした場合には（請求項６）、作動溝孔等の球崩し突部を貫通させるための孔部を別途形成する必要がなく、貯留皿部材の構造を簡素化できる。
【００２２】
さらに、摺動保持部材の上面と開閉部材の底面とに相互に当接する凸部を形成し、開閉部材の摺動に伴って、両面の凸部を衝突させて開閉部材を上下に振動するようにした場合には（請求項７）、球抜操作時に、遊技球配列を容易かつ大きく変化させることが可能となり、ブリッジ配列を簡単に解消できる。また、球崩し突部による押圧力が小さくても遊技球配列を崩すことができるため、操作部を動かす力も少なくて済む。
【発明を実施するための最良の形態】
【００２３】
以下に、本発明の第一実施例を、図面を参照して説明する。
本実施例のパチンコ遊技機１は、図１に示すように、外枠２の前面に開閉可能な前面枠３が配設され、該前面枠３には遊技盤面を覆うガラス扉４と、発射皿装置５とが夫々開閉可能に軸着される。また、前面枠３の下部には、前記発射皿装置５の下方に位置させて貯留皿装置６ａが配設され、さらに貯留皿装置６ａの右側方に発射ハンドル７が配設されている。この発射皿装置５と貯留皿装置６ａとは夫々遊技球を貯留する貯留空間８，９ａを備え、各貯留空間８，９ａは、前面枠３に形成された上部払出口１０と下部払出口１１とを介して、パチンコ遊技機１背面側に配設される払出装置（図示省略）と連通する。
【００２４】
発射皿装置５に貯留される遊技球は、前面枠３の背面に設けられた発射装置（図示省略）へ順次送られて、発射ハンドル７の回動操作により遊技盤面に順次打ち出される。そして、図示しない入賞口に入賞すると所定数（例えば１５個）の遊技球が、賞球として払出装置から払い出される。この払い出された遊技球は上部払出口１０から発射皿装置５の貯留空間８に排出されるが、大当り遊技中に多数の遊技球が払い出され、発射皿装置５の貯留空間８が満杯になると、パチンコ遊技機１の背面に配設される図示しない振り分け通路を遊技球が流下して下部払出口１１から貯留皿装置６ａの貯留空間９ａに放出される。ここで、下部払出口１１の内部には、満杯検出スイッチ（図示省略）が設けられており、貯留空間９ａが遊技球で満杯となり、下部払出口１１の内部にまで遊技球が滞留すると、この満杯検出スイッチがＯＮ作動して、これに応じて発射装置が停止する。この発射装置の停止は、満杯状態が解消されて満杯検出スイッチがＯＦＦ作動するまで続行される。
【００２５】
貯留皿装置６ａは、図２に示すように、上方と後方に開放する略直方体形状の貯留空間９ａを備え、該貯留空間９ａの後方側を下部払出口１１に臨ませて前面枠３に固定され、また、その前面側には皿カバー１９が固着される。そして、貯留空間９ａの底面には、下方に連通する球抜孔２４ａが形成される。この球抜孔２４ａは、常態では閉塞されているが、貯留皿装置６ａの前面に突出する操作部３２ａを左方向に操作すると開放され、貯留空間９ａ内の遊技球が球抜孔２４ａを介して機外へ排出される。そして、該貯留皿装置６ａの下方には樹脂製の球箱（図示省略）を載置可能となっており、該貯留皿装置６ａから排出した遊技球を球箱へ移し替えるようになっている。
【００２６】
以下に、本実施例の貯留皿装置６ａの構成について、図３〜６を参照して説明する。
本実施例の貯留皿装置６ａは、図３に示すように、貯留空間９ａを内部に形成する貯留皿部材２０ａと、貯留皿部材２０ａに下方から固着される摺動保持部材２６ａと、貯留皿部材２０ａと摺動保持部材２６ａとの間に形成された摺動間隙５０ａに取り付けられて、貯留皿部材２０ａの底面部２１ａに対して左右方向に摺動可能に保持される開閉部材３０ａとからなる。
【００２７】
貯留皿部材２０ａは、図３に示すように、貯留空間９ａの底面を形成する底面部２１ａと、該底面部２１ａから起立する前面部２２ａ及び左右の側面部２３ａ，２３ａを備え、かかる底面部２１ａおよび前面部２２ａ、側面部２３ａ，２３ａからなる皿面部の内部に貯留空間９ａを形成する。そして、底面部２１ａの中央位置には、円形の球抜孔２４ａが形成されており、該球抜孔２４ａの左縁には左方向に伸びる二本の作動溝孔２５ａ，２５ａが形成される。また、底面部２１ａには球抜孔２４ａへ向けた下り勾配が形成されており、貯留空間９ａの遊技球を該球抜孔２４ａに案内するようになっている。
【００２８】
摺動保持部材２６ａは、貯留皿部材２０ａの底面部２１ａと略同じ大きさをなし、該底面部２１ａを下方から覆うようにして、貯留皿部材２０ａに螺着され、底面部２１ａとの間に、開閉部材３０ａを保持する摺動間隙５０ａを形成する。また、図５に示すように、摺動保持部材２６ａは球抜孔２４ａと上下に対向する位置に連通孔２９ａが形成されており、球抜孔２４ａを貯留皿装置６ａの下方へ連通させる。さらに、摺動保持部材２６ａの上面には、後述するように開閉部材３０ａを振動させるための凸部２７が形成される（図５参照）。
【００２９】
摺動間隙５０ａ内で摺動可能に保持される開閉部材３０ａは、球抜孔２４ａを遮蔽する遮蔽板部３１ａを備え、該遮蔽板部３１ａが球抜孔２４ａを横断状に遮蔽する右側の定常位置Ｉ（図４イ参照）と、遮蔽板部３１ａが球抜孔２４ａの左方へ退避して、球抜孔２４ａを完全開放する左側の球抜位置II（図４ロ参照）との間を移動可能となっている。
【００３０】
ここで、図４に示すように、摺動間隙５０ａの左側には、コイルバネ２８ａが設けられており、開閉部材３０ａは、このコイルバネ２８ａの弾性力により定常位置Ｉへ付勢される。また、開閉部材３０ａの前部には、連繋部３６ａを介して貯留皿装置６ａの前面に突出する操作部３２ａが形成されており、該操作部３２ａを遊技者が左方向へ手操作することにより、開閉部材３０ａが球抜位置IIへ変位して、球抜孔２４ａが開放するようになっている。
【００３１】
本発明の要部である球崩し突部３３ａについて説明すると、本実施例の球崩し突部３３ａ，３３ａは、図３に示すように、前後に薄い形状をなし、遮蔽板部３１ａの上面に前後に並設される。開閉部材３０ａの定常位置Ｉでは、図４（イ），図５（イ）に示すように、遮蔽板部３１ａが球抜孔２４ａを閉塞しており、球崩し突部３３ａは、球抜孔２４ａを貫通して、貯留皿部材２０ａの底面部２１ａから貯留空間９ａへ突出する。そして、図４（ロ），図５（ロ）に示すように、操作部３２ａを左方へ操作して、開閉部材３０ａを摺動させ球抜位置IIへと変位させると、遮蔽板部３１ａの左方移動に伴い、球崩し突部３３ａは、作動溝孔２５ａに沿って、貯留空間９ａ内を左方に移動することとなる。このため、図５に示すように、貯留空間９ａに貯留された遊技球Xがブリッジ配列Ｐを形成していた場合でも、球崩し突部３３ａにより遊技球Ｘが押圧されて転動することで、ブリッジ配列Ｐが解消され、球抜孔２４ａを介して遊技球Ｘが円滑に下方へ排出されることとなる。
【００３２】
また、図３に示すように、開閉部材３０ａには、遮蔽板部３１ａの前後縁から下方に設けられた支持脚部３４ａ，３４ａを備え、図５に示すように、開閉部材３０ａは、該支持脚部３４ａの底面を摺動保持部材２６ａの上面と接するようにして、摺動間隙５０ａ内を摺動する。ここで、本実施例の支持脚部３４ａの底面には、複数の凸部３５，３５が形成されており、図６に示すように、開閉部材３０ａの摺動すると、この凸部３５，３５が、摺動保持部材２６ａの上面に形成された凸部２７と衝突するようになっている。すなわち、開閉部材３０ａを球抜位置IIへ変位させる際には、図６に示すように、両凸部２７，３５同士が衝突して、開閉部材３０ａは凸部２７を乗り越えるようにして上下に振動しながら球抜位置IIへと移動する。この上下振動は、球崩し突部３３ａや貯留皿部材２０ａを介して、貯留空間９ａの遊技球Ｘに伝わり、緊密に並んだ遊技球Ｘの間に隙間を生じさせることとなり、貯留空間９ａ内の遊技球配列は崩れ易い状態となる。
【００３３】
このように、本実施例の貯留皿装置６ａにあっては、球抜操作による開閉部材３０ａの摺動に伴い、球崩し突部３３ａが貯留空間９ａ内の遊技球配列を崩すため、球抜孔２４ａ上方にブリッジ配列Ｐが形成されていても、球抜操作と同時に解消され、貯留された遊技球は球抜孔２４ａから排出されることとなる。このため、大当り遊技中に貯留皿装置６ａが満杯となり、発射装置が停止された場合でも、遊技球を確実に、遅滞なく排出できるから、遊技の時間ロスを最小限に抑えられる。特に、本実施例においては、図５に示すように、球崩し突部３３ａにより、ブリッジ配列Ｐを構成する遊技球Ｘが直接押圧されるため、ブリッジ配列Ｐを確実に崩すことができる。また、球抜操作時に、遊技球Ｘを振動させて、遊技球配列を崩し易い状態とするため、球崩し突部３３ａの押圧により遊技球配列を大きく変化させることができると共に、小さい押圧力で遊技球配列が変化するため、操作部３２ａを軽く操作するだけで、開閉部材３０ａを摺動させることができる。
【００３４】
次に第二実施例について説明する。第二実施例では、図７に示すように、球崩し突部３３ｂ，３３ｂは遮蔽板部３１ｂではなく、遮蔽板部３１ｂの前後縁から右方に延成された支持脚部３４ｂ，３４ｂの右端部から上方へ突成されている。そして、図８に示すように、貯留皿部材２０ｂの底面部２１ｂには、球崩し突部３３ｂに合わせて、中央の球抜孔２４ｂの前後縁から右方に二本の作動溝孔２５ｂ，２５ｂが形成される。そして、図８，９に示すように、開閉部材３０ｂが貯留皿部材２０ｂの底面部２１ｂに摺動可能に保持された状態で、両球崩し突部３３ｂは作動溝孔２５ｂを貫通して、貯留空間９ｂに突出し、開閉部材３０ｂを摺動させると、貯留空間９ｂ内を移動して、貯留された遊技球を押圧し、その配列を変化させる。尚、本実施例および後述の実施例では、パチンコ遊技機の基本構成や、貯留皿装置のその他の構成は第一実施例と同様の構成を使用可能であり、重複する部分の説明については省略する。
【００３５】
そして、図１０，１１は第三実施例の貯留皿装置６ｃを示す。かかる構成にあっては、作動溝孔２５ｃは、貯留皿部材２０ｃの底面部２１ｃではなく、前面部２２ｃに左右方向に形成される。一方、球崩し突部３３ｃは、開閉部材３０ｃの操作部３２ｃの付け根から上方に起立する連結杆３７の上端から後方に突成されており、開閉部材３０ｃが貯留皿部材２０ｃの底面部２１ｃに左右に摺動可能に保持された状態で、作動溝孔２５ｃを貫通して貯留空間９ｃ内に突出する。そして、開閉部材３０ｃの定常位置Ｉでは、図１０（イ）に示すように、球崩し突部３３ｃは球抜孔２４ｃの右側上方に位置し、操作部３２ｃを左方に操作し、開閉部材３０ｃを球抜位置IIへ移動させると、図１０（ロ）に示すように、開閉部材３０ｃが左方へ摺動し、球抜孔２４ｃが開放する。この開閉部材３０ｃの摺動に伴い、球崩し突部３３ｃは、球抜孔２４ｃの上方を横切るようにして貯留空間９ｃを左方向へ移動し、貯留空間９ｃに遊技球が貯留される場合には、遊技球を左方向へ押圧し、転動させて、その配列構造を変化させる。かかる構成にあっては、操作部３２ｃと球崩し突部３３ｃとが近接するため、操作部３２ｃを左方に移動させる力が効率的に球崩し突部３３ｃに伝わることとなり、球崩し突部３３ｃにより遊技球を強く押圧することができる。
【００３６】
さらに、図１２は第四実施例の貯留皿装置６ｄを示し、かかる構成では、貯留皿部材２０ｄには、上記実施例のような作動溝孔２５ａ〜２５ｃは形成されず、底面部２１ｄには左右に長大な球抜孔２４ｄが形成される。そして、開閉部材３０ｄは、第一実施例の開閉部材３０ａと同形状のものが、貯留皿部材２０ｄに第一実施例同様に取り付けられており、図１２（イ）に示すように、遮蔽板部３１ｄ上面に突成された球崩し突部３３ｄは、開閉部材３０ｄの定常位置Ｉで、球抜孔２４ｄの右側部を貫通して貯留空間９ｄに突出する。そして、この状態で操作部３２ｄを左方に操作すると、図１２（ロ）に示すように、開閉部材３０ｄが左方の球抜位置IIへ摺動し、これに伴い、球崩し突部３３ｄが、球抜孔２４ｄを介して貯留空間９ｄ内を左方向に移動する。ここで、球崩し突部３３ｄが球抜孔２４ｄの左縁と当接すると、開閉部材３０ｄを左方に摺動できなくなるため、本実施例の貯留皿装置６ｄでは、かかる位置を開閉部材３０ｄの球抜位置IIとする。この球抜位置IIにおいては、遮蔽板部３１は球抜孔２４ｄの左側部を部分的に遮蔽した状態であるが、球抜孔２４ｄは左右に長大であるため、部分的に遮蔽された状態でも、従来の完全開放された球抜孔同様に遊技球を排出できる。このように、本実施例では、左右方向に長大な球抜孔２４ｄを形成し、球抜孔２４ｄを介して球崩し突部３３ｄを貯留空間９ｄ内で移動させるため、作動溝孔のような孔部を別途形成することを要せず、貯留皿部材２０ｄの構成が簡素化されている。
【００３７】
尚、本発明は、上述の実施例にのみ限定されるものではなく、本発明の要旨を逸脱しない範囲内において種々変更を加え得ることは勿論である。例えば、本実施例の開閉部材はいずれも貯留皿部材の底面部に対して左右方向に摺動するものであるが、左右方向に限らず、開閉部材が前後方向に摺動する構成や、開閉部材が貯留皿部材に軸支されて底面部に対して傾動するようにして摺動する構成にも本発明は適用可能である。また、操作部に関しても、貯留皿装置の前面に設けられている必要はないし、開閉部材と別部材で構成されていても構わない。さらに、貯留皿部材の形状についても、本実施例の構成に限らず、前面枠と一体形成された構成など多様な形態に本発明は適用できる。
【図面の簡単な説明】
【００３８】
【図１】パチンコ遊技機１の斜視図である。
【図２】第一実施例の貯留皿装置６ａを分離して示すパチンコ遊技機１下部の斜視図である。
【図３】開閉部材３０ａを分離して示す第一実施例の貯留皿装置６ａの斜視図である。
【図４】第一実施例の貯留皿装置６ａの平面図であり、（イ）は開閉部材３０ａが定常位置Ｉにある状態を、（ロ）は開閉部材３０ａが球抜位置IIに変位した状態を示す。
【図５】第一実施例の貯留皿装置６ａの縦断面図であり、（イ）は図４中のＡ−Ａ断面を、（ロ）は図４中のＢ−Ｂ断面を示す。
【図６】開閉部材３０ａの凸部３５と摺動保持部材２６ａの凸部２７との衝突態様を示す第一実施例の貯留皿装置６ａの縦断面拡大図である。
【図７】第二実施例の開閉部材３０ｂの斜視図である。
【図８】第二実施例の貯留皿装置６ｂの平面図である。
【図９】図８中のＣ−Ｃ断面図である。
【図１０】第三実施例の貯留皿装置６ｃの平面図であり、（イ）は開閉部材３０ｃが定常位置Ｉにある状態を、（ロ）は開閉部材３０ｃが球抜位置IIに変位した状態を示す。
【図１１】図１０中のＤ−Ｄ断面図である。
【図１２】第四実施例の貯留皿装置６ｄの平面図であり、（イ）は開閉部材３０ｄが定常位置Ｉにある状態を、（ロ）は開閉部材３０ｄが球抜位置IIに変位した状態を示す。
【図１３】貯留空間９ｅにブリッジ配列Ｐが形成された状態を示す、従来の貯留皿装置６ｅの縦断面図である。
【符号の説明】
【００３９】
１  パチンコ遊技機
２  外枠
３  前面枠
４  ガラス扉
５  発射皿装置
６ａ〜６ｅ  貯留皿装置
７  発射ハンドル
８，９ａ〜９ｅ  貯留空間
１０  上部払出口
１１  下部払出口
１９  皿カバー
２０ａ〜２０ｅ  貯留皿部材
２１ａ〜２１ｄ  底面部
２２ａ〜２２ｄ  前面部
２３ａ〜２３ｄ  側面部
２４ａ〜２４ｅ  球抜孔
２５ａ〜２５ｃ  作動溝孔
２６ａ〜２６ｃ  摺動保持部材
２７  凸部
２８ａ〜２８ｄ  コイルバネ
２９ａ〜２９ｃ  連通孔
３０ａ〜３０ｅ  開閉部材
３１ａ〜３１ｅ  遮蔽板部
３２ａ〜３２ｄ  操作部
３３ａ〜３３ｄ  球崩し突部
３４ａ，３４ｂ  支持脚部
３５  凸部
３６ａ，３６ｂ  連繋部
３７  連結杆
５０ａ〜５０ｃ  摺動間隙
Ｐ  ブリッジ配列
Ｘ  遊技球
Ｉ  定常位置
II  球抜位置
【図１】
2005095488.tif 000003
【図２】
2005095488.tif 000004
【図３】
2005095488.tif 000005
【図４】
2005095488.tif 000006
【図５】
2005095488.tif 000007
【図６】
2005095488.tif 000008
【図７】
2005095488.tif 000009
【図８】
2005095488.tif 000010
【図９】
2005095488.tif 000011
【図１０】
2005095488.tif 000012
【図１１】
2005095488.tif 000013
【図１２】
2005095488.tif 000014
【図１３】
2005095488.tif 000015